(57)【要約】【課題】ペットボトル、空きびん、プラスチックうちわを身近な日用品として有効活用し、環境問題、省エネ、資源の再利用に対する関心を高め、再利用したものを部品として構成し、製品の大幅なコスト低減を図る。【解決手段】（イ）ペットボトル口部外周に嵌合する取付孔と、うちわの柄を挿通する挿通孔を設けられた取付板を有すること。（ロ）前記取付板は、板厚が３点５ミリ以下であること。（ハ）前記挿通孔は、うちわの柄を挿通可能な形状であること。（ニ）前記取付孔の内径は２６~２９ミリの範囲であること。（ホ）前記取付孔と挿通孔の間隔は、うちわの柄を挿通孔に挿通した場合、うちわの柄の扇面が傾斜するように、挿通孔は取付孔の近傍に設けられていること。以上の要件を備える。【選択図】図１
2010022618.tif 000002
【特許請求の範囲】
【請求項１】
下記の要件を備えたことを特徴とする多機能なうちわ
（イ）ペットボトル口部の外周に嵌合する取付孔と、うちわの柄を挿通する挿通孔を設けられた取付板を有すること
（ロ）前記取付板は、板厚が３．５ミリ以下であること。
（ハ）前記挿通孔は、うちわの柄を挿通可能な形状であること
（ニ）前記取付孔の内径は、２６〜２９ミリの範囲であること
（ホ）前記取付孔と挿通孔の間隔は、うちわの柄を挿通孔に挿通した場合、うちわの柄の扇面が傾斜するように、挿通孔は取付孔の近傍に設けられていること
【請求項２】
請求項１のものにおいて下記の要件を備えたことを特徴とする多機能なうちわ
（イ）前記取付板は、柔軟な合成樹脂板であること
（ロ）うちわの柄を挿通する挿通孔は、複数設けられていること
【請求項３】
下記の要件を備えたことを特徴とする多機能なうちわ
（イ）空きびん口部内側に挿通する突出部を形成した取付板を有すること
（ロ）前記取付板は、柔軟な合成樹脂板であること
（ハ）前記突出部は、切割線で形成した抜部で設けられ、その先端部はテーパー形状を形成していること
【請求項４】
下記の要件を備えたことを特徴とする多機能なうちわ
（イ）複数のうちわの柄を取り付ける複数の挿入溝孔を形成した支持体を有すること
（ロ）前記複数の挿入溝孔は、夫々斜め下方に逆ハ字状に形成していること
（ハ）前記複数の挿入溝孔に柄を挿入した夫々のうちわの扇部が、上方に逆ハ字状に開いて形成していること
【請求項５】
下記の要件を備えたことを特徴とする多機能なうちわ
（イ）先端部にうちわの柄を取り付ける挿入溝孔と、下端部を空きびん口部内側に取り付ける支持体を有すること
（ロ）前記挿入溝孔は、支持体の上面から側面に傾斜して設けられていること
（ハ）前記支持体の下端部は、テーパー形状を形成していること
【請求項６】
下記の要件を備えたことを特徴とする多機能なうちわ
（イ）複数のうちわの柄を取り付ける挿通孔と紐を通す複数の紐孔とが設けられた支持板を有すること
（ロ）前記支持板は曲折可能な板状であること
【請求項７】
下記の要件を備えたことを特徴とする多機能なうちわ
（イ）うちわの柄を取り付ける複数の挿通孔を設けた支持板を有すること
（ロ）前記支持板は、柔軟な合成樹脂板で両側をテーパー形状に形成していること
（ハ）前記挿通孔のうち、二つの挿通孔は長手方向の支持板の中央線に対称に設けられていること
【請求項８】
下記の要件を備えたことを特徴とする多機能なうちわ
（イ）うちわの柄を取り付けるビス孔と吸盤を取り付けた支持板を有すること
（ロ）前記ビス孔は、支持板の両端部に設けていること
（ハ）前記吸盤は、支持板の長手方向中央線の支持板両側に設けられていること
（ニ）前記支持板は、柔軟な合成樹脂板であること
【請求項９】
下記の要件を備えたことを特徴とする多機能なうちわ
（イ）うちわの柄を、挿入する挿入溝孔を形成した基板を有すること
（ロ）前記挿入溝孔は、傾斜して形成されていること
【発明の詳細な説明】
【技術分野】
【０００１】
本発明は、ペツトボトル、空きびん、うちわ、又は夫々の組合せを利用した多機能なうちわに関し、主としてペーパースタンドに利用し、他に、投擲ゲーム用標的、ボクシングスパーリング的、飾り台等にも利用でき、更に、うちわを単独で使用する場合、うちわの柄を持ち易くし、扇いだときの風量が増加するようにした多機能なうちわに関するものである。
【背景技術】
【０００２】
従来の多機能な要素をもつうちわのなかで、ペットボトルや空きびんと組合せて、ペーパースタンド、投擲ゲーム用標的、ボクシングスパーリング的、飾り台等やうちわ単独でも、柄が持ち易く、風量の増大ができるようにしたものは未だ知られていない。
【発明の開示】
【発明が解決しようとする課題】
【０００３】
近年、地球温暖化により環境問題の重要性が政治、経済、教育、メデア等あらゆる場面や世界的規模で強調されるようになってきている。なかでも省エネ、資源の有効活用という課題は、石油をはじめ多くの資源の大半を輸入に頼っている日本にとっては、将来を決するほどの重要な課題である。しかしながら、大量生産大量消費、飽食大量廃棄の日常的現実のなかで、子供からお年よりまで国民全体の危機感も関心も多いとはいえない。また、資源の回収にしても、例えば、１００%石油が原料であるペツトボトルは回収率が年々向上してはいるが、再生処理コストの点で焼却を選択する地方自治体が増加している。また、石油が原料のプラスチックうちわは宣伝物として大量に普及しているが、夏の一時の使用後破棄されるものが多い。また、大量に使用されているびん類のなかで、ウイスキー、ワイン、焼酎、酒びんの中にはデザイン的に優れたものも多く見られるが再利用への関心は少ない。
【０００４】
本発明は、このような事情に鑑みてなされたもので、ペツトボトル、空きびん、プラスチックうちわを身近な日用品として有効活用且普及することによつて、環境問題、省エネ、資源の再利用に対する世間の関心を高めることを目的とするものである。また、直接的には、涼しむために膨大なＣＯ２を出すクーラーや扇風機の使用を減少できるように、柄を持ち易く、且、把持した柄の部分以外の部分を長くしてバネ効果を高め、手の疲れが少なく、容易に風量を増大できる多機能なうちわを提供し、且、ペットボトル、空きびん、うちわを部品として再利用且構成し、製品の大幅なコスト低減を図ることを目的とする。
【課題を解決するための手段】
【０００５】
上記の目的を達成するために、本発明が提供する第１の手段は下記に示す要件を備えて構成した。すなわち、（イ）ペットボトル口部の外周に嵌合する取付孔と、うちわの柄を挿通する挿通孔を設けられた取付板を有すること。（ロ）前記取付板は、板厚が３．５ミリ以下であること。（ハ）前記挿通孔は、うちわの柄を挿通可能な形状であること。（ニ）前記取付孔の内径は、２６~２９ミリの範囲であること。（ホ）前記取付孔と挿通孔の間隔は、うちわの柄を挿通孔に挿通した場合、うちわの柄の扇面が傾斜するように、挿通孔は取付孔の近傍に設けられていること。
【０００６】
上記の目的を達成するために、本発明が提供する第２の手段は、第１の手段に加えて下記に示す要件を備えて構成した。すなわち、（イ）前記取付板は、柔軟な合成樹脂板であること。（ロ）うちわの柄を挿通する挿通孔は、複数設けられていること。
【０００７】
上記の目的を達成するために、本発明が提供する第３の手段は、下記に示す要件を備えて構成した。（イ）空きびん口部内側に挿通する突出部を形成した取付板を有すること。（ロ）前記取付板は、柔軟な合成樹脂板であること。（ハ）前記突出部は、切割線で形成した抜部で設けられ、その先端部はテーパー形状を形成していること。
【０００８】
上記の目的を達成するために、本発明が提供する第４の手段は、下記に示す要件を備えて構成した。（イ）複数のうちわの柄を取り付ける複数の挿入溝孔を形成した支持体を有すること。（ロ）前記複数の挿入溝孔は、夫々斜め下方に逆ハ字状に形成していること。（ハ）前記複数の挿入溝孔に柄を挿通した夫々のうちわの扇部が、上方に逆ハ字状に開いて形成していること。
【０００９】
上記の目的を達成するために、本発明が提供する第５の手段は、下記に示す要件を備えて構成した。（イ）先端部にうちわの柄を取り付ける挿入溝孔と、下端部を空きびん口部内側に取り付ける支持体を有すること。（ロ）前記挿入溝孔は、支持体の上面から側面に傾斜して設けられていること。（ハ）前記支持体の下端部は、テーパー形状を形成していること。
【００１０】
上記の目的を達成するために、本発明が提供する第６の手段は、下記に示す要件を備えて構成した。（イ）複数のうちわの柄を取り付ける挿通孔と紐を通す複数の紐孔とが設けられた支持板を有すること。（ロ）前記支持板は曲折可能な板状であること。
【００１１】
上記の目的を達成するために、本発明が提供する第７の手段は、下記に示す要件を備えて構成した。（イ）うちわの柄を取り付ける複数の挿通孔を設けた支持板を有すること。（ロ）前記支持板は、柔軟な合成樹脂板で両側をテーパー形状に形成していること。（ハ）前記挿通孔のうち、二つの挿通孔は長手方向の支持板の中央線に対称に設けられていること。
【００１２】
上記の目的を達成するために、本発明が提供する第８の手段は、下記に示す要件を備えて構成した。（イ）うちわの柄を取り付けるビス孔と吸盤を取り付けた支持板を有すること。（ロ）前記ビス孔は、支持板の両端部に設けていること。（ハ）前記吸盤は、支持板の長手方向中央線の支持板両側に設けられていること。（ニ）前記支持板は柔軟な合成樹脂板であること。
【００１３】
上記の目的を達成するために、本発明が提供する第９の手段は、下記に示す要件を備えて構成した。（イ）うちわの柄を挿入する挿入溝孔を形成した基板を有すること。（ロ）前記挿入溝孔は傾斜して形成されていること。
【００１４】
上記第１の解決手段による作用は次の通りである。すなわち、使用するペットボトルにより口部外径に嵌合する取付孔とうちわの柄を取り付ける挿通孔を形成した取付板を、ペットボトル口部に嵌入し、ペットボトル蓋を螺着して取り付ける。取付板の板厚が３．５ミリ以下のものであれば、口部の雄ねじと蓋の雌ねじで螺合して取り付けることができる。また、取付孔の内径は、使用するペットボトルが２８０ｍLや５００ｍLのものであれば、内径２６ミリ、以上のものは内径２９ミリにするとよい。ペットボトル取付孔の近傍に形成している挿通孔にうちわの柄を挿通し、柄がペットボトル肩部に圧接し、うちわは取付板に傾斜して立設固定することができる。また、うちわの高さは、柄を挿通孔とペットボトル肩部を接触させて上下させて調節する。また、ペーパー等はうちわ上端にクリップ等で挟んで使用することができる。
【００１５】
また、第２の解決手段による作用は、取付板が柔軟な合成樹脂板で形成し挿通孔を複数設けているため、取付板を湾曲状に曲折して複数の挿通孔にうちわの柄を取り付けることができる。また、一般に普及しているうちわより柄が細い小さいうちわを取り付けても、柄の取り付けが複数箇所であるため、うちわの立設固定を安定して保持することができる。また、柄を複数箇所で取り付けるので構造的に取付板を大きくし、突出部と複数の押部を形成することが可能になり、クリップ等を使用せずとも、押部にペーパー等を挟んでうちわに載置して使用することができる。更に、逆さにしたうちわの骨組みの隙間部分を、中段の突出させて形成した押部に掛けて、取付板に複数のうちわを設けることができる。大型のペーパー、特に両うちわに載置クリップした新聞を両手を自由にして読むことができる。
【００１６】
また、第３の解決手段による作用は、柔軟な合成樹脂板の取付板に形成した突出部は、テーパー形状を形成し、且、三方を切割線で抜部を形成しているので、空きびん口部の内側に突出部を挿通して取り付けることができる。また、空きびん口部の外側は抜部を通すことができるので、突出部を曲折して、取付板を容易に傾斜させることができる。
【００１７】
また、第４の解決手段による作用は、支持体の両側に傾斜して形成した挿入溝孔に、複数のうちわの柄を挿通して取り付けることができる。支持体に取り付けたうちわで涼風をおこすには、うちわの柄の先端部を挿入溝孔に挿通して取り付け、以外の柄の部分を長くして、柄のバネ効果で少ない動作で容易に風を起こすという効果を発揮する。また、立体の支持体は把持し易く、把持による疲労が少ないので容易に長時間うちわを振ることができる。また、複数のうちわは、従来のものに比べて一振りで２倍の風量を起こし、顔面〜胸部にかけて風の幅を広げることができる。また、ペーパースタンドとして使用するには、一枚のうちわを机等に置き他のうちわにペーパーを載置して使用する。更に、逆さにしたうちわを壁にピン止めし、斜め下方になつた他のうちわにペーパーを載置することもできる。
【００１８】
また、第５の解決手段による作用は、うちわの柄は、支持体の先端部に形成した傾斜の挿入溝孔に挿入するだけで容易に取り付けることができる。また、下端部をテーパー形状に形成した支持体は、空きびん口部内側に差し込むだけで容易に取り付けることができる。
【００１９】
また、第６の解決手段による作用は、複数のうちわの柄を支持板に形成した複数の挿通孔に挿通する。また、支持板に形成した複数の紐孔と、うちわの柄下端部に形成した切欠溝を紐を通して、支持板が逆三角形状になるように紐を緊縛する。また、支持板と柄の下端部を緊縛された複数のうちわは上方に開いた形状で形成される。逆三角形状の支持板を握り、一振りで２倍の風を起こすことができる。また、第４の解決手段と同様ペーパースタンドで使用することができる。
【００２０】
また、第７の解決手段による作用は、両側をテーパー形状に形成し複数の挿通孔を設けた柔軟な合成樹脂板の支持板を、テーパー形状の両側を合わせた略楕円形状に形成し、空きびん口部内側に挿通して取り付ける。びんに取り付けて略楕円形状になつた支持板の上方と下方の挿通孔に、うちわの柄を挿通して傾斜に取り付けることができる。
【００２１】
また、第８の解決手段による作用は、吸盤を具備した柔軟な合成樹脂板の支持板を、横にしたペットボトル胴体に捲着し、支持板の両端部に設けているビス孔とうちわの柄の切欠溝をビスと蝶ナツトで螺着して、支持板にうちわを取り付ける。鉄板、ガラス、プラスチック等吸盤の吸着を保持するものに吸着させてうちわを立設する。また、うちわは、柔軟な吸盤により自然に傾斜する。また、立設したうちわを両拳で叩くと、柔軟な合成樹脂で形成した吸盤の作用で容易に前後するので、いわゆるボクシングのスパーリングを行うことができる。更に、ペットボトルを立設し、且、支持板と柄の取り付けを回動させて、他の形態のペーパスタンドとして使用することができる。
【００２２】
また、第９の解決手段による作用は、基板に形成している挿入溝孔にうちわの柄を挿入するだけで、うちわは傾斜して立設することができる。ペーパ等はうちわにクリツプ等で留めることができるが、基板上部に形成している挿入部と止部の間に挟んで使用することができる。
【発明の効果】
【００２３】
上述したように本発明の多機能なうちわは、ペットボトル、空きびん、プラスチックうちわ等廃棄されているものを組合せて、身近な日常的なものに利用することによつて、資源の再利用、環境問題等への関心を高めることができる。
【００２４】
また、うちわの柄のバネ効果を生かし、また、持ち易すく形成したので、手の疲労が少なく容易に風を起こすことができるようになつた。従って、うちわの使用価値、使用頻度を高め、結果として、節電によるＣＯ２減少の可能性が高まることになる。更に、従来廃棄していたペットボトル、空きびん、プラスチックうちわを、他の部品と効果的に組み合わせることによつて、ペーパースタンドの製造コストを大幅に低減するという効果を奏する。
【発明を実施するための最良の形態】
【００２５】
以下、本発明の実施の形態を図１~図１７に基づいて説明する。
【実施例１】
【００２６】
図１は、実施例１の正面図とＡ−Ａ矢視図である。１は骨組みがプラスチックのうちはで一般に普及しているものである。２は、使用済みのペットボトルで、３は取付板である。取付板３は矩形の柔軟な合成樹脂板で、取付孔４と挿通孔５を形成し、取付孔４はペットボトル２の口部の外側に嵌合可能な内径をしている。挿通孔５の形状はうちわ１の柄６を挿通可能なように柄６の短手方向断面形状を形成している。また、取付孔４と挿通孔５の間隔は、挿通孔５に柄６を挿通した場合、柄６の先端部がペットボトル２肩部に圧接し、うちわ１が取付板３とペットボトル２で立設を保持している。挿通孔５とペットボトル２肩部で保持しているうちわ１にクリツプ等で載置したペーパー等が、見やすい位置に柄６を挿通孔５を上下させて調節することができる。
【実施例２】
【００２７】
図２は、実施例２の側面図である。実施例１のものに加え挿通孔５を切割線７で分割し、且、分割した一方の側が上方に突出するように突出部８を切割線７で形成している。うちわ１の柄６は上方に突出した挿通孔５に嵌合し、柄６の先端部はペットボトル２首部に載置してうちわ１の立設を保持している。挿通孔５と突出した突起部８の下部は空間を形成するので、立設しているうちわ１に図に示す矢印の力、例えば、投擲したボール等を加えると、うちわ１は図の斜線で示すように落下する。本実施例はペーパースタンドとして使用する他に、投擲したボールがうちわ１に当ると、うちわ１は容易に挿通孔５内を落下するので投擲ゲームの標的として使用できる。
【実施例３】
【００２８】
図３は実施例３の正面図とＢ−Ｂ矢視図と取付板の展開図である。取付板３は矩形で柔軟な合成樹脂板で形成し、取付孔４と複数の挿通孔５を設け切割線７で形成した突出部８を、前記取付孔４の中心部と夫々の中心部が同一線上に形成している。ペットボトル２口部の取り付けた取付板３を湾曲状に曲折し、上部の挿通孔５と下部の突出部８に形成し突出した挿通孔５に柄６を挿通しうちわ１を取り付ける。また、挿通孔５の両側に切割線７で形成した押部９を上、中、下段に設けている。押部９は、ペーパー等の下端部を押えてうちわ１上にペーパーを保持する。また、押部９に小物日用品等を掛けることができる。
【実施例４】
【００２９】
図４は実施例４の正面図とＣ−Ｃ矢視図である。ペットボトル２口部に取り付けた取付板３に、複数のうちわ１を設けたものである。一本のうちわ１の取り付けは実施例３と同様であるが、もう一本のうちわ１は逆さにして、うちわ１の骨組みの空白の大きい隙間部分を、取付板３に形成し中段の突出した押部に掛けて取り付けることができる。複数のうちわ１で上下方向と横方向に適宜な大きさを形成できるので、新聞等大型のペーパーをクリツプして安定的に載置することができる。
【実施例５】
【００３０】
図５は実施例５の正面図とＤ−Ｄ矢視である。本実施例は取付板３とうちわ１と空きびん１２で構成し、取付板３の上方部にテーパー形状の突出部８を抜部２１によつて形成している。また、突出部８はテーパー形状に形成しているので、大多数の空きびん１２口部に挿通することができる。また、取付板３の上部を複数のＵ字状の凹部２２を形成し、うちわ１の扇面の下端部を嵌め、柄６をびん１２口部に差し込んで、取付板３にうちわ１を保持することができる。
【実施例６】
【００３１】
図６は実施例６の正面図とＥ−Ｅ矢視図である。本実施例は支持体１１と空きびん１２とうちわ１で構成している。支持体１１は円柱状で、大多数の使用済み空きびん口部に嵌入可能に先端部にかけて先細りテーパー形状を形成している。支持体１１の上部側には、支持体１１の上面から周壁にかけて傾斜した挿入溝孔１３を形成している。挿入溝孔１３の横断面形状はうちわ１の柄６が挿入可能な矩形形状を形成している。ペーパースタンドとしての高さ調整は、挿入溝孔１３に挿通した柄６を上下させて行う。うちわ１を使用するには、図１６（ロ）に示すように、挿入溝孔１３に柄６の先端部を挿通し、支持体１１を把持して風を起こす。
【実施例７】
【００３２】
図７は実施例７の正面図とＦ−Ｆ矢視図である。円柱且略Ｙ字形状の支持体１１上面両側に傾斜した挿入溝孔１３を形成し、複数の挿入溝孔１３に挿入した複数のうちわ１の柄６が上方に開いて形成している。支持体１３の上部は握りが容易なように凹状に形成し、下端部はテーパー形状且その端部を先細り形状に形成している。ペーパースタンドとして使用する他に、支持体１１を握り二枚のうちわ１で風量の増大を図ることができる。また支持体１１を単独で指圧具として使用することができる。支持体１１に取り付けた複数のうちわ１は、図１６（ハ）に示すように、支持体１１を把持して風を起こす。
【実施例８】
【００３３】
図８は実施例８の正面図と使用状態を示す参考図である。支持体１１は逆台形形状を形成し、支持体１１の上部両側に斜め上向き方向の挿入溝孔１３を形成し、複数のうちわ１の柄６を挿通し、うちわ１が着脱自在としている。一方のうちわ１を机等に置き、他方のうちわ１の傾斜を支えペーパースタンドとして使用する。また、支持体１１を手で握り、二枚のうちわ１を同時に扇ぎ、風量の増大を図ることができる。図１６（ニ）に示すように、支持体１１を把持して風を起こす。
【実施例９】
【００３４】
図９は実施例９の正面図とＧ−Ｇ矢視図と支持板の展開図である。本実施例は支持板１４とうちわ１と空きびん１２で構成している。支持板１４は長方形状の柔軟な合成樹脂板で、両端側をテーパー形状に形成している。支持板１４を曲折し、その両端部を空きびん１２口部に挿通し、空きびん１２口部上の支持板１４が略楕円形状を形成するとともに、支持板１４に適宜の間隔で設けている複数の挿通孔５にうちわ１の柄６を挿通して、うちわ１が傾斜して取り付けている。
【実施例１０】
【００３５】
図１０は実施例１０の正面図と支持板の展開図である。本実施例は矩形の柔軟な合成樹脂板の支持板１４に複数の挿通孔５と紐取付孔２３を設けている。前記支持板１４を逆三角形状に形成し、複数のうちわ１の柄６を夫々挿通孔５に挿通し、紐取付孔２３と柄６に形成している切欠溝１６に紐１０を通して緊縛し一体に固定する。机等に一方のうちわ１を置き、他方の傾斜しているうちわ１にペーパー等を載置する。また逆三角形状に形成した支持板１４を握ってうちわ１を振れば、２倍の風を起こすことができる。図１６（ホ）に示すように、逆三角形状の支持板１４を把持して風を起こす。
【実施例１１】
【００３６】
図１１は実施例１１の正面図とＨ−Ｈ矢視図と支持板の展開図である。両端部をテーパー形状に形成した支持板１４の長手方向の中央部に挿通孔５を形成し、その両側に対称にビス孔１５を穿設している。支持板１４を二つ折りに曲折し、その両端部を空きびん１２口部に挿通して支持板１４を取り付けている。曲折した支持板１４の頂点に形成された挿通孔５に柄６を挿通し、複数のうちわ１の柄６は支持板１４の前後に配設し、夫々のうちわ１の柄６に形成している切欠溝１６と支持板１４のビス孔１５をビス１７と蝶ナツト１８で螺合して取り付けている。本実施例は多数のうちわ１を設けることができるので、大型のペーパーのペーパースタンドとして使用することができる。また、うちわ１の扇面の紙を剥がし骨状にして、七夕やクリスマスの飾り台や造花の飾り台として使用することができる。
【実施例１２】
【００３７】
図１２は実施例１２の正面図と他の使用例の正面図と吸盤を付けた支持板の展開図である。本実施例は吸盤２０を具備した支持板１４をペットボトル２胴体に取り付けたものである。支持板１４の中央部両側に切欠溝孔１９を形成し、吸盤２０の頭部を嵌合して取り付けている。支持板１４をペットボトル２や空きびん１２に捲いて円形状に形成し、その両端部とうちわ１の柄６の切欠溝１６をビス１７と蝶ナツト１８で螺合して、ペットボトル１や空きびん１２の胴体に取り付けている。本実施例はペーパースタンドとして使用する他、吸盤２０を吸着可能なものに取り付けて、うちわ１の扇面を拳で叩くボクシングスパーリング用具として使用できる。
【実施例１３】
【００３８】
図１３、１４は実施例１３の正面図とＩ−Ｉ矢視図とＪ−Ｊ矢視図とＫ−Ｋ矢視図及び使用状態を示す参考図である。下端部をテーパー形状に形成した支持体１１の上面と両側面に、複数の挿入溝孔１３を傾斜して形成している。多数のうちわ１を取り付けることができるので、大型のペーパー、例えば地図、新聞、図表等容易に取り付けることができる。また、ペーパーの大きさによつて取り付けるうちわ１を調整できる。また、うちわ１として使用する場合、支持体１１に取り付けるうちわ１は、平面的に形成できるので、多量の風を起こすことができる。また、本実施例は組立自在であるので、野球やサッカー観戦時の応援グッツとして使用できる。図１６（ヘ）に示すように支持体１１を把持して風を起こす。
【実施例１４】
【００３９】
図１５は実施例１４の正面図とＬ−Ｌ矢視図である。２８は基板である。基板２８は挿入溝孔１３形成した挿入部２９と止部３０を、合成樹脂成型で一体に形成している。また、挿入部２９に形成した挿入溝孔１３は傾斜して形成し、挿入部２９と止部３０の間は溝状に形成し、使用するペーパー等の下端部を挟み、ペーパー等をうちわにクリップで留めなくともペーパースタンドとして使用できる。
【実施例１５】
【００４０】
図１７は実施例１５の正面図とＭ−Ｍ矢視図である。支持体１１の上端部と下方部に挿入溝孔１３を形成している。下方部の挿入溝孔１３は傾斜して形成しているので、夫々の挿入溝孔１３にうちわ１の柄６を挿通することができる。上下に形成した複数のうちわ１
で扇面が拡大するので、風量の増大を図ることができる。また、うちわ１本来の機能の他、扇面の拡大と支持体１１による柄６の延長で、炎天下に日よけとして使用することができる。
【産業上の利用可能性】
【００４１】
うちわを落下し易いように構成したり、うちわが前後に揺動可能に構成しゲーム用品、スポーツ用具としての用途にも使用できる。またうちわの扇面の紙を剥がして骨状にして、飾り台として使用することもできる。
【図面の簡単な説明】
【００４２】
【図１】実施例１の正面図とＡ−Ａ矢視図である。
【図２】実施例２の側面図である。
【図３】実施例３の正面図とＢ−Ｂ矢視図と展開図である。
【図４】実施例４の正面図とＣ−Ｃ矢視図である。
【図５】実施例５の正面図とＤ−Ｄ矢視図である。
【図６】実施例６の正面図とＥ−Ｅ矢視図である。
【図７】実施例７の正面図とＦ−Ｆ矢視図である。
【図８】実施例８の正面図と使用状態を示す参考図である。
【図９】実施例９の正面図とＧ−Ｇ矢視図と支持板の展開図である。
【図１０】実施例１０の正面図と支持板の展開図である。
【図１１】実施例１１の正面図とＨ−Ｈ矢視図と支持板の展開図である。
【図１２】実施例１２の正面図と他の使用例の正面図と吸盤を付けた支持板の展開図              である。
【図１３】実施例１３の正面図とＩ−Ｉ矢視図とＪ−Ｊ矢視図とＫ−Ｋ矢視図である。
【図１４】実施例１３の使用状態を示す参考図である。
【図１５】実施例１４の正面図とＬ−Ｌ矢視図である。
【図１６】（イ）従来のうちわの持ち方（ロ〜ホ）本発明のうちわの持ち方。
【図１７】実施例１５の正面図とＭ−Ｍ矢視図である。
【符号の説明】
【００４３】
１  うちわ    １  ペットボトル    ３  取付板    ４  取付孔      ５  挿通孔
７  切割線    ８  突出部    ９  押部    １１  支持体    １２  空きびん
１３  挿入溝孔    １４  支持板    １６切欠溝    ２０  吸盤    ２１  抜部
２３  紐取付孔    ２８  基板    ２９挿入部    ３０  止部
【図１】
2010022618.tif 000003
【図２】
2010022618.tif 000004
【図３】
2010022618.tif 000005
【図４】
2010022618.tif 000006
【図５】
2010022618.tif 000007
【図６】
2010022618.tif 000008
【図７】
2010022618.tif 000009
【図８】
2010022618.tif 000010
【図９】
2010022618.tif 000011
【図１０】
2010022618.tif 000012
【図１１】
2010022618.tif 000013
【図１２】
2010022618.tif 000014
【図１３】
2010022618.tif 000015
【図１４】
2010022618.tif 000016
【図１５】
2010022618.tif 000017
【図１６】
2010022618.tif 000018
【図１７】
2010022618.tif 000019